(57)【特許請求の範囲】
【請求項１】
袋を構成する樹脂フィルムが延長された、指でつまんで開口部を開けるための、一対のフラップ部にて開口部が形成され、該フラップ部の対向する内面に、互いに嵌合／解除可能な凸部と凹部とからなるジッパーを設けた樹脂フィルム製袋の前記ジッパーを閉止するための閉止専用スライダにおいて、
前記閉止専用スライダは、逆Ｕ字形状をなす一対の側脚片と、逆Ｕ字形状の天井部から下方に延在して一対の側脚片の間に位置して前記ジッパーには届かない長さの中脚片とを備え、前記開口部に取り付けられた際に前記ジッパーの延在方向と直交する方向の長さが該延在方向の長さよりも長く、
前記一対の側脚片は前記フラップ部の外側に位置して前記ジッパーの凸部及び凹部を押圧し、前記中脚片は前記フラップ部の内側に位置し、
さらに、前記閉止専用スライダには、前記天井部を含めて前記側脚片と前記中脚片との間に一対のスリットが形成されており、該スライダを既に製袋されている前記樹脂フィルム製袋の開口部に取り付ける際に、一対のフラップ部を前記一対のスリットにそれぞれ挿入させることで、前記中脚片と前記側脚片とでフラップ部を挟み込み、前記一対のスリットに一対のフラップ部をそれぞれ挿入させた状態で前記スライダを一方向に回転させることで前記側脚片が前記フラップ部の外側面に回り込み、かつ、ジッパーの凸部及び凹部を乗り越えること、
を特徴とする閉止専用スライダ。
【請求項２】
袋を構成する樹脂フィルムが延長された、指でつまんで開口部を開けるための、一対のフラップ部にて開口部が形成され、該フラップ部の対向する内面に、互いに嵌合／解除可能な凸部と凹部とからなるジッパーを設けた樹脂フィルム製袋の前記ジッパーを閉止するための閉止専用スライダにおいて、
前記閉止専用スライダは、逆Ｕ字形状をなす一対の側脚片と、逆Ｕ字形状の天井部から下方に延在して一対の側脚片の間に位置して前記ジッパーには届かない長さの中脚片とを備え、前記開口部に取り付けられた際に前記ジッパーの延在方向と直交する方向の長さが該延在方向の長さよりも長く、
前記一対の側脚片は前記フラップ部の外側に位置して前記ジッパーの凸部及び凹部を押圧し、前記中脚片は前記フラップ部の内側に位置し、
さらに、前記閉止専用スライダには、前記中脚片の側部に前記側脚片から露出する露出部分が形成されており、該スライダを既に製袋されている前記樹脂フィルム製袋の開口部に取り付ける際に、一対のフラップ部の間に前記露出部分を挿入させた状態で前記スライダを一方向に回転させることで前記側脚片が前記フラップ部の外側面に回り込み、かつ、ジッパーの凸部及び凹部を乗り越えること、
を特徴とする閉止専用スライダ。
【請求項３】
前記側脚片が部分的に切り欠かれていることにより前記中脚片の側部が露出していることを特徴とする請求項２に記載の閉止専用スライダ。
【請求項４】
前記中脚片が前記側脚片より側方に突出することにより中脚片の側部が露出していることを特徴とする請求項２に記載の閉止専用スライダ。
【請求項５】
前記側脚片が部分的に切り欠かれていると共に前記中脚片が側脚片より側方に突出することにより中脚片の側部が露出していることを特徴とする請求項２に記載の閉止専用スライダ。
【発明の詳細な説明】
【技術分野】
【０００１】
本発明は、閉止専用スライダ、特に、樹脂フィルム製袋の開口部に設けたジッパーを閉止するために使用される閉止専用スライダに関する。
【背景技術】
【０００２】
従来、樹脂フィルム製袋として、図９に示す袋１が知られている。この袋１は樹脂フィルムを溶着して側部をカット、あるいは溶断したものであり、開口部２に位置する一対のフラップ部３，３の対向する内面に、互いに嵌合／解除可能な凹部８ａと凸部８ｂとからなるジッパー８を設けたものである。なお、ジッパー８の凹凸部８ａ，８ｂの構造、形状には種々のものがある。
【０００３】
この種のプラスチック製袋１のジッパー８を開閉するには、（１）フラップ部３，３を指でつまんで開放し、閉止は専用のスライダで行う、（２）一方向にスライドさせることで閉止し、他方向にスライドさせることで開放する開閉用スライダを使用する、（３）開閉共に指で行う、の３通りの方法がある。
【０００４】
前記（１）で使用される閉止専用スライダの一例を図１０に示す。この閉止専用スライダ１０は、前記フラップ部３，３の外側に位置する一対の側脚片１１，１１と、フラップ部３，３の内側に位置してジッパー８には届かない長さの中脚片１５とを備えている。このスライダ１０がいずれかの方向にスライドすることにより、側脚片１１，１１の内側に形成した凸部１２，１２がジッパー８の凹凸部８ａ，８ｂを互いに押圧して嵌合させる。中脚片１５はこのスライダ１０が開口部２の端部２ａに到達したときにスライダ１０自体が側方に離脱してしまうのを防止するストッパとして機能する。側脚片１１，１１の内側に形成した突起１３，１３はスライダ１０の上方への抜け止めを図っている。
【０００５】
ところで、この種の閉止専用スライダ１０にあっては、袋１の開口部２から矢印Ｙ方向に外れないように構成されてはいるが、ある程度の力が作用すると外れてしまう。この場合、スライダ１０を開口部２に装着し直すことは極めて困難である。即ち、中脚片１５をフラップ部３，３の内側に挿入する必要があるが、フラップ部３，３は側脚片１１，１１で押さえられるため、専用の治具を用いることなく手で挿入することは実質上無理である。
【０００６】
また、閉止を開始する際に、開口端部２ａにセットされているスライダ１０をスムーズにスライドさせるには、端部２ａを指でつまんで押さえればよい。しかし、袋１が溶断袋であると端部２ａに指でつまめる余裕がなく、閉止動作の開始がやっかいである。
【発明の開示】
【発明が解決しようとする課題】
【０００７】
そこで、本発明の目的は、樹脂フィルム製袋の開口部から外れた場合であっても容易に再装着可能な閉止専用スライダを提供することにある。
【０００８】
本発明の他の目的は、前記目的を達成すると共に、ジッパーの閉止動作をスムーズに開始することのできる閉止専用スライダを提供することにある。
【課題を解決するための手段】
【０００９】
以上の目的を達成するため、第１の発明に係る閉止専用スライダは、
袋を構成する樹脂フィルムが延長された、指でつまんで開口部を開けるための、一対のフラップ部にて開口部が形成され、該フラップ部の対向する内面に、互いに嵌合／解除可能な凸部と凹部とからなるジッパーを設けた樹脂フィルム製袋の前記ジッパーを閉止するための閉止専用スライダにおいて、
前記閉止専用スライダは、逆Ｕ字形状をなす一対の側脚片と、逆Ｕ字形状の天井部から下方に延在して一対の側脚片の間に位置して前記ジッパーには届かない長さの中脚片とを備え、前記開口部に取り付けられた際に前記ジッパーの延在方向と直交する方向の長さが該延在方向の長さよりも長く、
前記一対の側脚片は前記フラップ部の外側に位置して前記ジッパーの凸部及び凹部を押圧し、前記中脚片は前記フラップ部の内側に位置し、
さらに、前記閉止専用スライダには、前記天井部を含めて前記側脚片と前記中脚片との間に一対のスリットが形成されており、該スライダを既に製袋されている前記樹脂フィルム製袋の開口部に取り付ける際に、一対のフラップ部を前記一対のスリットにそれぞれ挿入させることで、前記中脚片と前記側脚片とでフラップ部を挟み込み、前記一対のスリットに一対のフラップ部をそれぞれ挿入させた状態で前記スライダを一方向に回転させることで前記側脚片が前記フラップ部の外側面に回り込み、かつ、ジッパーの凸部及び凹部を乗り越えること、
を特徴とする。
【００１０】
第１の発明に係る閉止専用スライダにあっては、樹脂フィルム製袋の開口部から外れた場合であっても、スリットにフラップ部を挿入させると、中脚片がフラップ部の間に挿入された状態でフラップ部を中脚片と側脚片とでいわば挟み込んだ状態となり、スライダをほぼ９０°強回転させることで、容易に再装着することができる。
【００１１】
さらに、第２の発明に係る閉止専用スライダは、
袋を構成する樹脂フィルムが延長された、指でつまんで開口部を開けるための、一対のフラップ部にて開口部が形成され、該フラップ部の対向する内面に、互いに嵌合／解除可能な凸部と凹部とからなるジッパーを設けた樹脂フィルム製袋の前記ジッパーを閉止するための閉止専用スライダにおいて、
前記閉止専用スライダは、逆Ｕ字形状をなす一対の側脚片と、逆Ｕ字形状の天井部から下方に延在して一対の側脚片の間に位置して前記ジッパーには届かない長さの中脚片とを備え、前記開口部に取り付けられた際に前記ジッパーの延在方向と直交する方向の長さが該延在方向の長さよりも長く、
前記一対の側脚片は前記フラップ部の外側に位置して前記ジッパーの凸部及び凹部を押圧し、前記中脚片は前記フラップ部の内側に位置し、
さらに、前記閉止専用スライダには、前記中脚片の側部に前記側脚片から露出する露出部分が形成されており、該スライダを既に製袋されている前記樹脂フィルム製袋の開口部に取り付ける際に、一対のフラップ部の間に前記露出部分を挿入させた状態で前記スライダを一方向に回転させることで前記側脚片が前記フラップ部の外側面に回り込み、かつ、ジッパーの凸部及び凹部を乗り越えること、
を特徴とする。
【００１２】
第２の発明に係る閉止専用スライダにあっては、樹脂フィルム製袋の開口部から外れた場合であっても、中脚片の露出部分を樹脂フィルム製袋の開口部に位置する一対のフラップ部の間に挿入し、側脚片で前記フラップ部を挟み込みながらスライダをほぼ９０°強回転させることで、容易に再装着することができる。
【００１３】
第２の発明に係る閉止専用スライダにおいては、例えば、側脚片を部分的に切り欠かくこと及び／又は中脚片を側脚片より側方に突出させることによって、中脚片の側部を露出させることができる。
【００１４】
側脚片が部分的に切り欠かれていると共に中脚片が側脚片より側方に突出することにより中脚片の側部が露出している構成を採用すれば、中脚片の露出部分を樹脂フィルム製袋のフラップ部の外側から指でつまむことにより、袋の開口端部を固定してスライダによる閉止動作をスムーズに開始させることができる。
【発明を実施するための最良の形態】
【００１５】
以下、本発明に係る閉止専用スライダの実施形態について、添付図面を参照して説明する。
【００１６】
（第１実施形態、図１〜図３参照）
図１、図２は本発明の第１実施形態である閉止専用スライダ３０Ａを示す。このスライダ３０Ａは基本的には図１０に示した従来の閉止専用スライダ１０と同様の構成を有し、図９に示した樹脂フィルム製袋１の開口部２に設けたジッパー８を閉止する機能を有し、さらに、開口部２から外れた場合に容易に再装着できる機能を付加したものである。
【００１７】
詳しくは、このスライダ３０Ａは、樹脂フィルム製袋１のフラップ部３，３の外側に位置する一対の側脚片３１，３１と、フラップ部３，３の内側に位置してジッパー８には届かない長さの中脚片３５とを備えている。スライダ３０Ａはいずれかの方向にスライドすることにより、側脚片１１，１１の内側に形成した凸部３２，３２がジッパー８の凹凸部８ａ，８ｂを互いに押圧して嵌合させる。中脚片３５はスライダ３０Ａが開口部２の一端部２ａに到達したときにスライダ３０Ａ自体が側方に離脱してしまうのを防止するストッパとして機能する。側脚片３１，３１の内側に形成した突起３３，３３はスライダ３０Ａが開口部２から上方へ抜けることを防止するためのものである。また、突起３４，３４はスライダ３０Ａが必要以上に下方へ移動することを防止するためのものである。
【００１８】
このスライダ３０Ａにおいて、側脚片３１，３１の一側部根元部分には三角形状の切欠き３１ａ，３１ａが形成されており、中脚片３５の一側部根元部分がこの切欠き３１ａ，３１ａから露出している。符号３５ａはこの露出部分を示す。
【００１９】
このように中脚片３５の側部に露出部分３５ａを設けたのは、スライダ３０Ａに強い外力が作用して袋１の開口部２から外れた場合（外れる方向は図９に示す矢印Ｙ参照）、再装着を容易にするためのである。即ち、図３（Ａ）に示すように、まず、スライダ３０Ａを斜めに傾けた状態で、中脚片３５の露出部分３５ａをフラップ部３，３の間に挿入する。そして、図３（Ｂ）に示すように、スライダ３０Ａを水平状態に回転させる。これにて、側脚片３１，３１がフラップ部３，３の外側に位置すると共に、中脚片３５が先端部分までフラップ部３，３の間に挿入される。さらに、図３（Ｃ）に示すように、スライダ３０Ａを直立状態まで回転させる。これにて、いわばワンタッチでスライダ３０Ａが袋１の開口部２に取り付けられたことになる。
【００２０】
このような再装着をより一層容易にするために、図２（Ｄ）に示すように、突起３３，３４の一端部３３ａ，３４ａは削り取られている。
【００２１】
なお、図３で斜線を付した部分は袋１の側部溶着部分である。図８の斜線を付した部分も同様に側部溶着部分である。
【００２２】
また、この第１実施形態であるスライダ３０Ａにおいて、前記切欠き３１ａは必ずしも三角形状である必要はなく、図１（Ａ）に一点鎖線で示すような形状であってもよい。このような形状の切欠きを設けたスライダは、第１実施形態と以下に示す第２実施形態の中間形態であるともいえる。
【００２３】
（第２実施形態、図４参照）
図４は本発明の第２実施形態である閉止専用スライダ３０Ｂを示す。このスライダ３０Ｂは前記第１実施形態として示したスライダ３０Ａと基本的には同じ構成からなり、図１、図２と同じ部分には同じ符号を付し、重複した説明は省略する。
【００２４】
スライダ３０Ｂにおいて、前記スライダ３０Ａと異なるのは、スライダ３０Ｂの上部から一側部にわたって中脚片３５と側脚片３１，３１とでフラップ部３，３を挟み込む一対のスリット３６，３６を形成した点にある。
【００２５】
このスライダ３０Ｂにあっては、樹脂フィルム製袋１の開口部２から外れた場合であっても、図３に示したのと基本的には同じ手順で再装着することができる。即ち、開口部２の斜め上方からスリット３６，３６にフラップ部３，３を挿入させると、中脚片３５がフラップ部３，３の間に挿入された状態でフラップ部３，３を中脚片３５と側脚片３１，３１とでいわば挟み込んだ状態となる。その後、スライダ３０Ｂをほぼ９０°強回転させることで、容易に再装着することができる。
【００２６】
（第３実施形態、図５参照）
図５は本発明の第３実施形態である閉止専用スライダ３０Ｃを示す。このスライダ３０Ｃは前記第１実施形態として示したスライダ３０Ａと基本的には同じ構成からなり、図１、図２と同じ部分には同じ符号を付し、重複した説明は省略する。
【００２７】
スライダ３０Ｃにおいて前記スライダ３０Ａと異なるのは、中脚片３５に突出片部３５ｂを形成して側脚片３１，３１より側方に露出させた点にある。この突出片部３５ｂが前記スライダ３０Ａの露出部分３５ａと同様の機能を発揮し、スライダ３０Ｂを袋１の開口部２へ再装着するのを容易にしている。
【００２８】
（第４実施形態、図６参照）
図６は本発明の第４実施形態である閉止専用スライダ３０Ｄを示す。このスライダ３０Ｄは前記第１実施形態として示したスライダ３０Ａと基本的には同じ構成からなり、図１、図２と同じ部分には同じ符号を付し、重複した説明は省略する。
【００２９】
スライダ３０Ｄにおいて前記スライダ３０Ａと異なるのは、側脚片３１，３１の両側部分に比較的大きな切欠き３１ｃ，３１ｃを形成し、中脚片３５の両側部を露出させた点にある。符号３５ｃはこの露出部分を示す。このスライダ３０Ｄにあっては、露出部分３５ｃをフラップ部３，３の間にほぼ直交した状態で上方から挿入して袋１の開口部２へ再装着する。
【００３０】
（第５実施形態、図７、図８参照）
図７は本発明の第５実施形態である閉止専用スライダ３０Ｅを示す。このスライダ３０Ｅは前記第１実施形態として示したスライダ３０Ａと基本的には同じ構成からなり、図１、図２と同じ部分には同じ符号を付し、重複した説明は省略する。
【００３１】
スライダ３０Ｅにおいて前記スライダ３０Ａと異なるのは、側脚片３１，３１の両側部分に切欠き３１ｄ，３１ｄを形成すると共に、中脚片３５に突出片部３５ｄ，３５ｄを形成した点にある。この突出片部３５ｄ，３５ｄの露出面積は前記スライダ３０Ａ，３０Ｃ，３０Ｄよりも比較的大きい。
【００３２】
突出片部３５ｄは前記スライダ３０Ａの露出部分３５ａと同様の機能を発揮し、スライダ３０Ｅを袋１の開口部２へ再装着するのを容易にしている。さらに、突出片部３５ｄは、図８に示すように、スライダ３０Ｅを開口部２の端部２ａに位置させてジッパー８を閉止する動作を開始する際、一方の手の指で突出片部３５ｄをフラップ部３，３の外側からつまみ、他方の手の指でスライダ３０Ｅをつまんで矢印ａ方向にスライドさせることにより、閉止動作をスムーズに開始させることができる。
【００３３】
溶断袋１にあっては、端部２ａに指でつまむ余裕がないのであるが、このスライダ３０Ｅでは比較的面積の大きな突出片部３５ｄを設けることで、つまみ代を設けることができた。
【００３４】
なお、本発明に係る閉止専用スライダは、前記実施形態に限定するものではなく、その要旨の範囲内で種々に変更できることは勿論である。
【００３５】
また、ジッパー付き樹脂フィルム製袋としては、原反の樹脂フィルムにジッパーを溶着して製袋したものの他、ジッパーが一体化されている樹脂フィルムを使用して製袋したものであってもよい。さらに、ジッパーは対向する凹凸部を２列に設けた、いわゆるダブルジッパー構造であってもよい。
【産業上の利用可能性】
【００３６】
以上のように、本発明は、ジッパー付き樹脂フィルム製袋の開口部から外れても容易に再装着することができ、ジッパー付き樹脂フィルム製袋の閉止専用スライダとして有用である。また、本発明は、ジッパーの閉止動作をスムーズに開始させることができ、ジッパー付き樹脂フィルム製袋の閉止専用スライダとして有用である。
【図面の簡単な説明】
【００３７】
【図１】本発明の第１実施形態である閉止専用スライダを示し、（Ａ）は正面図、（Ｂ）は上面図、（Ｃ）は下面図、（Ｄ）は左側面図、（Ｅ）は右側面図。
【図２】前記閉止専用スライダの要部を示し、（Ａ）はＡ−Ａ断面図、（Ｂ）はＢ−Ｂ断面図、（Ｃ）はＣ−Ｃ断面図、（Ｄ）はＤ−Ｄ断面図。
【図３】前記閉止専用スライダの再装着の様子を示す説明図。
【図４】本発明の第２実施形態である閉止専用スライダを示し、（Ａ）は正面図、（Ｂ）は上面図、（Ｃ）は下面図、（Ｄ）は左側面図、（Ｅ）は右側面図。
【図５】本発明の第３実施形態である閉止専用スライダを示し、（Ａ）は正面図、（Ｂ）は斜視図。
【図６】本発明の第４実施形態である閉止専用スライダを示し、（Ａ）は正面図、（Ｂ）は側面図、（Ｃ）は斜視図。
【図７】本発明の第５実施形態である閉止専用スライダを示し、（Ａ）は正面図、（Ｂ）は側面図。
【図８】図７に示したスライダの閉止動作開始時を示す説明図。
【図９】樹脂フィルム製袋の一例を示し、（Ａ）は斜視図、（Ｂ）は開口部の断面図。
【図１０】従来の閉止専用スライダを示し、（Ａ）は正面図、（Ｂ）は側面図、（Ｃ）はＦ−Ｆ断面図。
【符号の説明】
【００３８】
１…樹脂フィルム製袋
３…フラップ部
８…ジッパー
３０Ａ，３０Ｂ，３０Ｃ，３０Ｄ，３０Ｅ…閉止専用スライダ
３１…側脚片
３１ａ，３１ｃ，３１ｄ…切欠き
３５…中脚片
３５ａ，３５ｃ…露出部分
３５ｂ，３５ｄ…突出片部
３６…スリット
【図１】
0004518948.tif 000002
【図２】
0004518948.tif 000003
【図３】
0004518948.tif 000004
【図４】
0004518948.tif 000005
【図５】
0004518948.tif 000006
【図６】
0004518948.tif 000007
【図７】
0004518948.tif 000008
【図８】
0004518948.tif 000009
【図９】
0004518948.tif 000010
【図１０】
0004518948.tif 000011